【手続補正書】
【提出日】令和2年6月30日(2020.6.30)
【手続補正１】
【補正対象書類名】特許請求の範囲
【補正対象項目名】全文
【補正方法】変更
【補正の内容】
【特許請求の範囲】
【請求項１】
第１のポリマー組成物を有する第１層と、
上記第１層に隣接する第２層であって、上記第１のポリマー組成物と異なる第２のポリマー組成物を有し、全体にわたって、（ｉ）複数の不動態化ＴｉＯ２微粒子と、（ｉｉ）少なくとも１つのシラン含有接着助長剤とを有する、上記第２層とを有し、
上記第１層の上記第１のポリマー組成物はシラン含有接着助長剤を含まず、
上記第１層および上記第２層は上記第１層および上記第２層の間の界面において接着助長剤で表面処理されないことを特徴とするゴルフボール。
【請求項２】
第１のポリマー組成物を有する第１層と、
上記第１層に隣接する第２層であって、上記第１のポリマー組成物と異なる第２のポリマー組成物を有し、全体にわたって、（ｉ）複数の不動態化ＴｉＯ２微粒子と、（ｉｉ）少なくとも１つのシラン含有接着助長剤とを有し、上記少なくとも１つのシラン含有接着助長剤の、上記第２のポリマー組成物の総合重量に基づく、０．１重量％から５．０重量％の範囲内の所定量が、上記第２層および上記第１層をその界面において結合させるのに必要な第１の必要量の遊離官能基を、上記第２層の上記第２のポリマー組成物の中の成分を結合させ、かつ／また、架橋させるのに必要な第２の必要量の官能基に加えて有するようになすものである、上記第２層とを有し、
上記第１層の上記第１のポリマー組成物はシラン含有接着助長剤を含まず、
上記第１層および上記第２層は上記第１層および上記第２層の間の界面において接着助長剤で表面処理されないことを特徴とするゴルフボール。
【請求項３】
アイオノマーからなる第１層と、
上記第１層を包囲し上記第１層に隣接し、ポリウレタンからなる第２層とを有し、
上記第２層の上記ポリウレタンは、全体にわたって、（ｉ）複数の不動態化ＴｉＯ２微粒子と、（ｉｉ）少なくとも１つのシラン含有接着助長剤とを有し、上記少なくとも１つのシラン含有接着助長剤の、上記第２層の上記ポリウレタンの総合重量に基づく、０．１重量％から５．０重量％の範囲内の所定量が、上記第２層および上記第１層をその界面において結合させるのに必要な第１の必要量の遊離官能基を、上記第２層の上記第２のポリマー組成物の中の成分を結合させ、かつ／また、架橋させるのに必要な第２の必要量の官能基に加えて有するようになすものであり、
上記第１層の上記アイオノマーはシラン含有接着助長剤を含まず、
上記第１層および上記第２層は上記第１層および上記第２層の間の界面において接着助長剤で表面処理されないことを特徴とするゴルフボール。
【請求項４】
上記少なくとも１つのシラン含有接着助長剤はオルガノシランおよびシランベースのオルガノシロキサンからなるグループから選択される請求項１〜３に記載のゴルフボール。
【請求項５】
上記不動態化ＴｉＯ２微粒子は上記第２のポリマー組成物中に、上記第２のポリマー組成物の総重量をベースにして１重量％から１０重量％の範囲で含まれる請求項１〜３に記載のゴルフボール。
【請求項６】
上記不動態化ＴｉＯ２微粒子は、アルミナ／シリカで表面処理される請求項５記載のゴルフボール。
【請求項７】
上記不動態化ＴｉＯ２微粒子の少なくともいくつかは、アルミナ／シリカで表面処理される請求項５記載のゴルフボール。
【請求項８】
上記不動態化ＴｉＯ２微粒子の少なくともいくつかは、アルミナ／ジルコンをベースにしたコーティングにより表面処理される請求項５記載のゴルフボール。
【請求項９】
上記不動態化ＴｉＯ２微粒子は上記第２のポリマー組成物中に、上記第２のポリマー組成物の総重量をベースにして２重量％から１０重量％の範囲で含まれる請求項７記載のゴルフボール。
【請求項１０】
上記不動態化ＴｉＯ２微粒子は、２００ｎｍから３５０ｎｍの直径を有して含まれる請求項７記載のゴルフボール。
【請求項１１】
上記第２のポリマー組成物はポリウレタンである請求項１または２に記載のゴルフボール。
【請求項１２】
上記ポリウレタンは熱可塑性である請求項１１記載のゴルフボール。
【請求項１３】
上記ポリウレタンは熱硬化性である請求項１１記載のゴルフボール。
【請求項１４】
上記第１のポリマー組成物はアイオノマーである請求項１１記載のゴルフボール。
【請求項１５】
上記第１層は内側カバー層であり上記第２層は外側カバー層である請求項１４記載のゴルフボール。
【請求項１６】
上記第１層は、内側コア層および外側コア層を具備する二重コアを包囲し、上記内側コア層および上記外側コア層の少なくとも１つはポリブタジエンからなる請求項３または１４に記載のゴルフボール。
【請求項１７】
上記内側コア層は熱可塑性組成物を有する請求項１６記載のゴルフボール。
【請求項１８】
上記熱可塑性組成物は高度に中和されたポリマーを有する請求項１７記載のゴルフボール。
【請求項１９】
上記不動態化ＴｉＯ２微粒子の少なくともいつくかは、２００ｎｍより小さい直径を有し、また、３５０ｎｍより大きい直径を有する請求項７記載のゴルフボール。
【請求項２０】
上記不動態化ＴｉＯ２微粒子は、２００ｎｍから３５０ｎｍの直径を有するＴｉＯ２微粒子からなる請求項７記載のゴルフボール。
【手続補正２】
【補正対象書類名】明細書
【補正対象項目名】０２０３
【補正方法】変更
【補正の内容】
【０２０３】
この発明のゴルフボールは具体的な手段および材料を参照して説明されたけれども、この発明は開示された詳細に限定されず特許請求の範囲内のすべての均等物に及ぶことに留意されたい。
以下、ここで説明された技術的特徴を列挙する。
［技術的特徴１］
第１のポリマー組成物を有する第１層と、
上記第１層に隣接する第２層であって、上記第１のポリマー組成物と異なる第２のポリマー組成物を有し、全体にわたって、（ｉ）複数の不動態化ＴｉＯ２微粒子と、（ｉｉ）少なくとも１つのシラン含有接着助長剤とを有し、上記少なくとも１つのシラン含有接着助長剤の、約０．１重量％から約５．０重量％の範囲内の所定量が、上記第２層および上記第１層をその界面において結合させるのに必要な第１の必要量の遊離官能基を、上記第２層の上記第２のポリマー組成物の中の成分を結合させ、かつ／また、架橋させるのに必要な第２の必要量の官能基に加えて有するようになすものである、上記第２層とを有し、
上記第１層の上記第１のポリマー組成物はシラン含有接着助長剤を含まず、
上記第１層および上記第２層は上記第１層および上記第２層の間の界面において接着助長剤で表面処理されないことを特徴とするゴルフボール。
［技術的特徴２］
上記少なくとも１つのシラン含有接着助長剤はオルガノシランおよびシランベースのオルガノシロキサンからなるグループから選択される技術的特徴１記載のゴルフボール。
［技術的特徴３］
上記不動態化ＴｉＯ２微粒子は上記第２のポリマー組成物中に、上記第２のポリマー組成物の総重量をベースにして約１重量％から約１０重量％の範囲で含まれる技術的特徴１記載のゴルフボール。
［技術的特徴４］
上記不動態化ＴｉＯ２微粒子は、アルミナ／シリカで表面処理される技術的特徴３記載のゴルフボール。
［技術的特徴５］
上記不動態化ＴｉＯ２微粒子の少なくともいくつかは、アルミナ／シリカで表面処理される技術的特徴３記載のゴルフボール。
［技術的特徴６］
上記不動態化ＴｉＯ２微粒子の少なくともいくつかは、アルミナ／ジルコンをベースにしたコーティングにより表面処理される技術的特徴３記載のゴルフボール。
［技術的特徴７］
上記不動態化ＴｉＯ２微粒子は上記第２のポリマー組成物中に、上記第２のポリマー組成物の総重量をベースにして約２重量％から約１０重量％の範囲で含まれる技術的特徴５記載のゴルフボール。
［技術的特徴８］
上記不動態化ＴｉＯ２微粒子は、約２００ｎｍから約３５０ｎｍの直径を有して含まれる技術的特徴５記載のゴルフボール。
［技術的特徴９］
上記第２のポリマー組成物はポリウレタンである技術的特徴８記載のゴルフボール。
［技術的特徴１０］
上記ポリウレタンは熱可塑性である技術的特徴８記載のゴルフボール。
［技術的特徴１１］
上記ポリウレタンは熱硬化性である技術的特徴８記載のゴルフボール。
［技術的特徴１２］
上記第１のポリマー組成物はアイオノマーである技術的特徴９記載のゴルフボール。
［技術的特徴１３］
上記第１層は内側カバー層であり上記第２層は外側カバー層である技術的特徴１２記載のゴルフボール。
［技術的特徴１４］
上記第１層は、内側コア層および外側コア層を具備する二重コアを包囲し、上記内側コア層および上記外側コア層の少なくとも１つはポリブタジエンからなる技術的特徴１２記載のゴルフボール。
［技術的特徴１５］
上記内側コア層は熱可塑性組成物を有する技術的特徴１４記載のゴルフボール。
［技術的特徴１６］
上記熱可塑性組成物は高度に中和されたポリマーを有する技術的特徴１５記載のゴルフボール。
［技術的特徴１７］
上記不動態化ＴｉＯ２微粒子のすくなくともいつくかは、約２００ｎｍより小さい直径を有し、また、約３５０ｎｍより大きい直径を有する技術的特徴５記載のゴルフボール。
［技術的特徴１８］
上記不動態化ＴｉＯ２微粒子は、約２００ｎｍから約３５０ｎｍの直径を有するＴｉＯ２微粒子からなる技術的特徴５記載のゴルフボール。
［技術的特徴１９］
アイオノマーからなる第１層と、
上記第１層を包囲し上記第１層に隣接し、ポリウレタンからなる第２層とを有し、
上記第２層の上記ポリウレタンは、全体にわたって、（ｉ）複数の不動態化ＴｉＯ２微粒子と、（ｉｉ）少なくとも１つのシラン含有接着助長剤とを有し、上記少なくとも１つのシラン含有接着助長剤の、約０．１重量％から約５．０重量％の範囲内の所定量が、上記第２層および上記第１層をその界面において結合させるのに必要な第１の必要量の遊離官能基を、上記第２層の上記第２のポリマー組成物の中の成分を結合させ、かつ／また、架橋させるのに必要な第２の必要量の官能基に加えて有するようになすものであり、
上記第１層の上記アイオノマーはシラン含有接着助長剤を含まず、
上記第１層および上記第２層は上記第１層および上記第２層の間の界面において接着助長剤で表面処理されないことを特徴とするゴルフボール。
［技術的特徴２０］
上記少なくとも１つのシラン含有接着助長剤はオルガノシランおよびシランベースのオルガノシロキサンからなるグループから選択される技術的特徴１９記載のゴルフボール。
［技術的特徴２１］
上記不動態化ＴｉＯ２微粒子は上記第２のポリマー組成物中に、上記第２のポリマー組成物の総重量をベースにして約１重量％から約１０重量％の範囲で含まれる技術的特徴１９記載のゴルフボール。
［技術的特徴２２］
上記不動態化ＴｉＯ２微粒子は、アルミナ／シリカで表面処理される技術的特徴２１記載のゴルフボール。
［技術的特徴２３］
上記不動態化ＴｉＯ２微粒子の少なくともいくつかは、アルミナ／シリカで表面処理される技術的特徴２１記載のゴルフボール。
［技術的特徴２４］
上記不動態化ＴｉＯ２微粒子の少なくともいくつかは、アルミナ／ジルコンをベースにしたコーティングにより表面処理される技術的特徴２１記載のゴルフボール。
［技術的特徴２５］
上記不動態化ＴｉＯ２微粒子は上記第２のポリマー組成物中に、上記第２のポリマー組成物の総重量をベースにして約２重量％から約１０重量％の範囲で含まれる技術的特徴２３記載のゴルフボール。
［技術的特徴２６］
上記不動態化ＴｉＯ２微粒子は、約２００ｎｍから約３５０ｎｍの直径を有して含まれる技術的特徴２３記載のゴルフボール。
［技術的特徴２７］
上記不動態化ＴｉＯ２微粒子のすくなくともいつくかは、約２００ｎｍより大きく約３５０ｎｍより小さな直径を有する技術的特徴２３記載のゴルフボール。
［技術的特徴２８］
上記第２層の上記ポリウレタンは熱可塑性である技術的特徴２１記載のゴルフボール。
［技術的特徴２９］
上記第２層の上記ポリウレタンは熱硬化性である技術的特徴２１記載のゴルフボール。
［技術的特徴３０］
上記第１層は、内側コア層および外側コア層を具備する二重コアを包囲し、上記内側コア層および上記外側コア層の少なくとも１つはポリブタジエンからなる技術的特徴２１記載のゴルフボール。
［技術的特徴３１］
上記内側コア層は熱可塑性組成物を有する技術的特徴３０記載のゴルフボール。
［技術的特徴３２］
上記熱可塑性組成物は高度に中和されたポリマーを有する技術的特徴３１記載のゴルフボール。